(57)【要約】改良された自動組立ディスプレイ装置であり、折り目（１３）を有する２つの壁（１２）によって形成された一方の自動組立部品（１１）が、他方の折り目（１４）によって自由端縁（１６）によって相対的に離隔された２つの壁（１５）に合致してピンセットの装置における一方のヒンジ部品を形成している。部品（１１）は、壁（１２）上の溝（１７）及び（１８）によって、ディスプレイ（１）の本体を構成している両方の部品の並置された縁（４），（５）及び（６），（７）のフック形状の溝（８）及び（１０）内に挿入された弾性のバンド（１９）を受け入れている。部品（１１）は、壁（１２）及び（１５）によって、各々、ディスプレイ（１）の本体を構成している部品（２）及び（３）の縁（４），（５）及び（６），（７）の内面と折り畳み面との間に適合している。従って、弾性作用と組み合わせられたピンセットのような作用によって、部品（１１）は、ディスプレイ（１）が閉じられ且つ折り畳まれると、伸長し且つ平らになり、一方、垂直方向に配置され且つその部品（２）及び（３）が若干開かれると、部品（２）及び（３）は、部品（１１）の壁（１２）と（１５）とをヒンジ結合することによって自動的に相対的に分離された状態にされてディスプレイが自動的に組み立てられるようになされている。
2010507817.tif 000002
【特許請求の範囲】
【請求項１】
共に折り畳み可能な部分（Ｇ）を形成している幅方向の折り目が設けられ且つ前方部品（２）及び端部部品（３）によって形成される楕円断面を提供するディスプレイ（１）によって構成され、広告印刷を受け入れるようになされ、更に、部品（２）上の端部の縁（４），（５）と部品３上の端部の並置された縁（６），（７）とにおいて長手方向に折り畳まれて形成される改良されたディスプレイのための自動組立装置であり、
前記縁（４），（５）及び（６），（７）は、所定の位置で上方のフック形状溝（８）を受け入れ、当該溝は、短い自由経路（９）の後に下方の溝（１０）として逆に形成されており、前記部品（２）及び（３）は、それらの縁（４），（５）が既にそれらの溝（８），（１０）を備えている縁（６），（７）と並置されて組み立てられた後に、２つの折り畳み可能な壁（１２）によって形成された四角形の管状本体を有する組立部品（１１）を中央の折り目（１３）によって受け入れ、当該中央の折り目は、新しい折り目（１４）の後でその自由端縁（１６）において相対的に離隔された２つの隣接する壁（１５）を形成しており、前記壁（１２）は、各々がその上方端縁及び下方端縁から切り込まれた一対の溝、すなわち共に整合され且つ並置されて弾性リング状のバンド（１９）の挿入を受け入れる上方の垂直溝（１７）及び下方の垂直溝（１８）、を受け入れるようになされていることを特徴とするディスプレイのための自動組立装置。
【請求項２】
請求項１に記載のディスプレイのための自動組立装置であり、
組立部品（１１）を設置するために、並置されている縁（４），（５）及び（６），（７）の上方の溝（１７）と下方の溝（１８）との間へ弾性のバンド（１９）が導入され、折り畳み可能な壁（１２）が、ディスプレイ（１）の本体を構成している部品（２）及び（３）の内面に当接され、隔離された壁（１５）が、それらの自由端縁（１６）によって縁（４），（５）及び（６），（７）の折り畳み面に固定されることを特徴とするディスプレイのための自動組立装置。
【請求項３】
請求項２又は３に記載のディスプレイのための自動組立装置であり、
両方の部品（２）及び（３）を互いに近づけたときにディスプレイ（１）の組立部品（１１）が閉じられるようになされ、隔離された壁（１５）のピンセットのような動作によって平らになり、弾性のバンド（１９）の作用によって強く引っ張られたままとなることを特徴とするディスプレイのための自動組立装置。
【請求項４】
請求項１乃至３のうちのいずれか一の項に記載のディスプレイのための自動組立装置であり、
両方の部品（２）及び（３）を若干離隔させた後にディスプレイ（１）が垂直方向に配置され、折り畳み可能な壁（１２）を離隔された壁（１２）と共に開くことによって両方の部品（２）及び（３）が自然に離隔するようにさせてディスプレイ（１）が組み立てられることを特徴とする  ディスプレイのための自動組立装置。
【請求項５】
請求項１乃至４のうちのいずれか一の項に記載のディスプレイのための自動組立装置であり、
部品（２ａ）及び（３ａ）の両方が、折り目（１４）の後でそれらの自由端縁（１６）によって等しく隔離された同面の壁（２２）を形成している組立部品（１１ａ）を受け入れるために並置され且つディスプレイ（１ａ）の側部において中間地点から突出されている縁（４ａ），（５ａ）及び（６ａ），（７ａ）の各々の後で折り目（２０）を任意に受け入れることを特徴とするディスプレイディスプレイのための自動組立装置。
【請求項６】
請求項５に記載のディスプレイのための自動組立装置であり、
三角形状の部品（１１ａ）が、自由端縁（１６）によって縁（４ａ），（５ａ）及び（６ａ），（７ａ）を等しく有しているディスプレイ（１）の側面（２１）に、その同面の壁（２２）を当接させていることを特徴とするディスプレイのための自動組立装置。
【請求項７】
請求項１乃至６のうちのいずれか一の項に記載のディスプレイのための自動組立装置であり、
両方の部品が、並置している縁（４ｂ），（５ｂ）及び（６ｂ），（７ｂ）の折り畳み面のうちの一つのすぐ近くで唯一つの折り目（２３）を任意に受け入れることを特徴とするディスプレイのための自動組立装置。
【請求項８】
請求項７に記載のディスプレイのための自動組立装置であり、
部品（２ｂ）と（３ｂ）との両方を接着することによって、それらの単独の折り目（２３）が逆さのままであり、最終的に、組立部品（１１）を受け入れるために、並置している縁（４ｂ），（５ｂ）及び（６ｂ），（７ｂ）は、ディスプレイ（１）の各々の対向する頂点から一つずつ反対方向に突出していることを特徴とするディスプレイのための自動組立装置。
【発明の詳細な説明】
【発明の分野】
【０００１】
本発明は、各々が折り目によって形成された２つの折り畳み可能な壁によって本質的に形成された一連の組立ユニット又は組立部品を受け入れるためのディスプレイ装置に関する。前記組立部品はまた、折り目によって、自由端縁によって相互に分離された２つの隣接する壁同士が合致し、ピンセット装置によって動かされ、弾性のバンドを受け入れるようになされた組立部品であり、前記弾性のバンドによって、前記ディスプレイの本体を構成している両方の部品の並置される縁の所定の位置に特別に形成された溝に固定される。
【０００２】
このようにして、当該組立部品は、ディスプレイ本体を構成している部品の内面に亘って折り畳み可能な壁上に載置され、分離された壁によって提供される折り目の作用と協働する弾性のバンドの作用によって、前記ディスプレイは自動的に開かれ、また必要ならば閉じることもできる。
【背景技術】
【０００３】
自立型ディスプレイを構成するように作用する種々の器具が市場において既に知られており、２００３年８月１４日に出願されたＢＲ  ０，３０３，６９４−４、２００３年８月１４日に出願されたＢＲ  ０，３０３，６９３−６、２００６年６月２１日に出願されたＢＲ  ０，５０２，３０６−８、２００５年１２月２７日に出願されたＢＲ  ０，５０５，９１５−１及び２０００年７月１１日に出願されたＢＲ  ０，００７，１４３−９Ａのような文献に見出すことができる。２０００年７月１１日に出願されたＢＲ  ０，００７，１４３−９Ａはまた、ＦＲ−Ａ−２６８００３０、ＦＲ−Ａ−２６５０９０７及びＦＲ−Ａ−２２１０３１７のようなフランスの特許文献をも記載しており、一方、２００２年５月１０日に出願されたＢＲ  ０，２０１，７１１−３にもまた、他の２つのフランス文献すなわちＦＲ２，７６０，８８０及びＦＲ  ２，７９５，２１７が記載されている。
【０００４】
ＦＲ  Ａ１  ０１０６５６９の文献の場合には、種々の嵌合を備え且つ弾性部材を備えている段ボール部品によって構成されている器具が開示されており、当該器具は、一般的な広告を受け入れる手段を備えた角柱状垂直構造を得るために、装置が実際的に自動的に組み立てられるのを可能にするように動作する、溝、折り目、折り目及びその他の形態の一組の詳細な部分を含んでいる。
【０００５】
一般的に言うと、自立特性を有するディスプレイを提供する手段、すなわち自動的に開き且つ一般的な対角方向の相補的な内部構造によって作動し、幾つかは装置を組み立てるために弾性的に又は入れ子式に伸長せしめられるか収縮せしめられるようにされた手段を備えた装置が文献によって提供されている。
【０００６】
他の文献に関して、これらの装置の幾つかは内部の相補的構造を備えておらず、我々は、これらの全てが、溝、嵌合部、折り目、折り目及びその他の装置を組み立てるのを可能にする他の詳細な部分によって付与される角柱状の半剛性の部品によって得られる装置を示していることを見ることができる。
【０００７】
従って、上記の装置の各々が、現在の技術状況における何らかの欠点を解決するための種々の解決方法を特徴とする構成上の且つ機能的な詳細部分を提供している。
このように、公知の装置は、種々の目的、主として、ほぼ垂直方向に細長い自立型の広告ディスプレイを形成し且つ完全に分解されるか折り畳まれて販売され（工場渡し）運搬を実質的に容易にし、使用されていないときには在庫し且つ貯蔵することができるようにもする適当な手段を提供している。
【０００８】
このような従来の装置は、提案された目的をある方法によって達成しているも拘わらず、ある範囲の同じく複雑な組立体の詳細部分をも生じる複雑な構造を提供し、これは、実際に極めて高価な製品を生じさせ、これらの多くは、自立状態すなわち自動的な組立のための条件を満たすために、内部に配置された相補的な構造部品をも有している。
【発明の開示】
【０００９】
本願においては、折り目によって他の折り目から折り畳まれ且つ並置された自由端縁によって分離された２つの壁と合致する２つの壁によって構成された方形の管状本体によって作られた組立部品によって、従来の装置よりも実際に簡素化された構造を有することができる装置の規定された実施形態が提案されている。前記の折り畳み可能な壁は、各々が弾性のリング状のバンドが嵌合される一対の整合されたより上方及び下方の溝を受け入れる。
【００１０】
他方において、当該ディスプレイは、その本体を構成している折り畳まれ且つ並置されている２つの部品のための接合縁を備えており、これら２つの部品は、上方フックと下方フックとを形成している双方が等しい溝を受け入れ、当該溝内に、組立部品の折り畳み可能な壁の溝に既に固定されている弾性のリング状のバンドの端部が嵌合される。
【００１１】
従って、既に固定された組立部品は、その折り畳み可能な壁によって、ディスプレイの本体を構成している両方の部品の内面に載置され、弾性のバンドの作用によって引っ張られる。当該組立部品の隔離された壁は、他方では、弾性のバンドの作用と協働してピンセットとして作用するディスプレイを形成している前記部品の並置されている縁の両側部を包囲している。
【００１２】
従って、ディスプレイを構成している両方の部品が相対的に当接されたとき、すなわち、各部分が折り畳まれた閉じられたディスプレイの場合には、組立部品はまた、ピンセットの動作によって、共に折り畳み可能であり且つ離隔され、伸長されているが、弾性のバンドの作用によって引っ張られている壁をも備えている。
【００１３】
ディスプレイの折り畳みを戻し且つ垂直方向に位置決めした後に、その２つの部品は、弾性のバンドに対して十分な程度まで若干離隔され、組立部品の折り畳み可能な壁を開くために、並置された縁の溝間で引っ張られる。折り畳み可能な壁は、開かれると、ピンセットとして作用している隔離された壁と協働して、ディスプレイの本体を構成している両方の部品を自然に離隔されるように付勢し、このようにして、自動組立体が得られる。
【００１４】
組立部品は、常に対をなした状態で、必要とされる数のユニットに適用され、ディスプレイの本体を構成している部品の並置された縁に対向せしめられる。
四角形状とは別に、当該組立部品は、以下に示すように、ディスプレイが楕円形のみならず四角形（矩形又は正方形）のものを形成できるように三角形とすることもできる。ピンセット装置のおかげで、ディスプレイを構成している部品の並置された縁の折り目状の折り畳み自体は、ディスプレイの他の任意の自動組立を楕円及び四角形の両方とさせるように変えても良い。
【００１５】
以上、概略的に説明したが、当該ディスプレイを、その組立部品及びそれに含まれる装置と共に、以下に添付図面によって更に詳細に説明する。
【好ましい実施形態の説明】
【００１６】
添付図面に示すように、本発明の目的である“改良された自動組立装置のためのディスプレイ”は、前方部品（２）と端部部品（３）によって形成された楕円形の横断断面を提供している段ボール又は別の適当な材料からなるディスプレイ（１）によって構成されている。前記前方部品（２）と端部部品（３）との両方には、折り畳みのための部分（５）を形成している横方向の折り目（４）が設けられており、部品（２），（３）は、それらの端部に印刷広告物を受け入れ、更に長手方向に沿って折り畳まれて部品（２）上に縁（４），（５）を形成し且つ部品（３）上に縁（６），（７）を形成している。
【００１７】
意図された装置のためには、縁（４），（５）及び（６），（７）は、切断及び折り目付け段階において、所定の位置好ましくは各部分（５）において、フック形状の上方の溝（８）を受け入れる。当該上方のフック形状の溝（８）は、短い自由経路（９）をたどった後に、下方の溝（１０）内へ逆さに繰り返されている。
【００１８】
部品（２）及び（３）は、それらの縁（４），（５）が既にそれらの溝（８）及び（１０）を含んでいる縁（６），（７）と並置させて組み立てられた後に、部分（５）に、四角形断面の管状本体の少なくとも１つの組立部品（１１）を受け入れている。組立部品（１１）は、中央の折り目（１３）によって折り畳み可能な２つの壁（１２）によって形成されており、当該２つの壁（１２）は、新しい折り目（１４）の後では、それらの自由端縁（１６）において、相対的に離隔している２つの隣接している壁（１５）が突き出している。
【００１９】
壁（１２）は、各々、それらの上方及び下方の端縁から切り込まれた一対の溝すなわち上方の垂直溝（１７）と下方の垂直溝（１８）を受け入れている。上方の垂直溝（１７）と下方の垂直溝（１８）とは、互いに整合され且つ並置されており、弾性のリング状のバンド（１９）を受け入れている。特に図３の詳細図Ａによって示されているように、リング状のバンド（１９）は、溝（１７）及び（１８）によって折り畳み可能な壁（１２）を巻き込んでいる。
【００２０】
装置はこのように構成され、対の形で設置された組立部品（１１）は、並置された縁（４），（５）及び（６），（７）の上方の溝（１７）と下方の溝（１８）との間にその端縁から弾性のバンド（１９）が導入されていて、ディスプレイ（１）の本体を構成している両方の部品（２）及び（３）の内面にそれらの折り畳み可能な壁（１２）が当接されている。他方では、離隔した壁（１５）同士が、それらの自由端縁（１６）よって、縁（４），（５）及び（６），（７）の折り畳み部に固定されてこれらをピンセット形態に受け入れている。
【００２１】
従って、両方の部品（２）と（３）とが近接してディスプレイ（１）を閉じると、離隔された壁（１５）同士は、ピンセットのような作用により、組立部品（１１）全体を、弾性のバンド（１９）の作用によって、平らな状態となるが弾性のバンド（１９）の作用によって強く引っ張られたままで伸長させる。
【００２２】
ディスプレイを開くためには、両方の部品（２）及び（３）を若干離隔させた後に、ディスプレイ（１）が垂直方向に配置され、折り畳み可能な壁（１２）は、次いで、ピンセットのような作用と協働して離隔された壁（１５）から引っ張られ、開き、両方の部品（２）及び（３）が自然に分離するようにし、このようにして、特に図４、５及び６によって示されているようにディスプレイ（１）が自動的に組み立てられる。
【００２３】
上記の説明は、並置されている縁（４）、（５）及び（６）、（７）自体を折り畳むことによって折り目が形成されるときの楕円形のディスプレイ（１）に関するものである。
四角形又は矩形のディスプレイ（１ａ）を形成する場合には、これらの２つの部品（２ａ）及び（３ａ）は、縁（４ａ）、（５ａ）及び（６ａ）、（７ａ）の各々の背後に折り目（２０）を収容し、組立部品（１１ａ）を固定し且つ引っ張るように装置を維持する。この場合には、部品（２ａ）及び（３ａ）は、接合された後に、ディスプレイ（１ａ）の側面（２１）の本体の中間位置から突出された並置された縁（４ａ）、（５ａ）及び（６ａ）、（７ａ）を形成する。他方では、組立部品（１１ａ）は、折り目（１４）の後で、それらの自由端縁（１６）によって等しく離隔された同面の壁（２２）を形成している。
【００２４】
このような構成においては、組立部品（１１ａ）は三角形状をしており且つこれらの同面の壁（２２）がディスプレイ（１ａ）の本体の側面（２１）に当接されており、自由端縁（１６）は、同じピンセットのような作用により、縁（４ａ）、（５ａ）及び（６ａ）、（７ａ）を等しく包み込んでいる。
【００２５】
最後に、別の形態においては、同じ自己組立装置を使用することによって、ディスプレイ（１ｂ）の本体を構成している部品（２ｂ）及び（３ｂ）の両方が、並置されている縁の折り目のうちの１つのすぐ近くの位置で唯一の折り目（２３）を受け入れている。このように構成された部品（２ｂ）及び（３ｂ）の両方は、唯一の折り目（２３）が図１５に示されているように逆さにされたままで接着されるべきであり、並置された縁（４ｂ）、（５ｂ）及び（６ｂ）、（７ｂ）は、最終的に接合され、ディスプレイ（１ｂ）の各対向する頂点に一つずつ反対方向に突出せしめられ、四角形状が形成されている。
【００２６】
ディスプレイ（１ｂ）は、並置された縁（４ｂ）、（５ｂ）及び（６ｂ）、（７ｂ）の折り目（２３）から長い方の距離に応じて、矩形形状から正方形形状まで変えることができる。
【図面の簡単な説明】
【００２７】
以下に列挙する図１乃至８は、本体を構成している両方の部品の並置された縁が、この場合には四角形状を有している組立部品を受け入れている折り目によって形成されている楕円形のディスプレイを示している。
【００２８】
更に、以下に列挙する図９乃至１４は、四角形（矩形）のディスプレイを示しており、当該ディスプレイにおいては、本体を構成している２つの部品が、各々が並置された縁によって短く形成されている２つの折り目を有している。この場合には、縁は、組み立てられた後にディスプレイ内の中間点から突出し且つこの場合には三角形状を有している組立部品を受け入れている。
【００２９】
更に、以下に列挙する図１５乃至２１は、四角形（矩形）のディスプレイを示している図であり、本体を構成している２つの部品は、並置された縁の折り目の一つの近くの位置で一つの折り目を受け入れている。このように構成された部品は、それらの唯一の折り目が逆さにされたままであり且つ並置されている縁が四角形のディスプレイと向かい合っている頂点の各々に１つずつ、最終的に反対方向に突出するように接着される。
【図１】図１は、ディスプレイの斜視図であり、その本体を構成している両方の部品の並置された縁を上方端縁から示している。
【図２】図２は、ディスプレイの上方の部品を示しており、本体を構成している部品の一方は切断されており、組立部品を固定し且つ引っ張るための弾性のリング状のバンドを受け入れるために、上方及び下方のフック形状の溝を備えた並置された縁を示している。
【図３】図３は、並置された縁の一部分の斜視図であり、溝が、弾性のリング状のバンドを受け入れて前記組立部品を固定し且つ引っ張っている。その側部には、ディスプレイを組み立てられた状態に維持する状態で開いている折り畳み可能な壁を備えた組立部品の拡大詳細図が示されている。
【図４】図４は、閉じられた状態のディスプレイの平面図である。この状態では、組立部品の壁は、ディスプレイの本体を構成している両方の部品と共に伸長している。
【図５】図５は、図４と同様の図であり、組立部品の折り畳み可能な壁が弾性のバンドの作用及びその隔離された壁のピンセットのような作用によって分離されて、ディスプレイ本体を構成している両方の部品が開かれている。
【図６】図６は、既に組み立てられたディスプレイを示している図であり、下方に拡大詳細図Ｂが示されている。
【図７】図７は、閉じられつつある状態のディスプレイの斜視図である。
【図８】図８は、既に閉じられた状態のディスプレイを示している図７と同様の図である。
【図９】図９は、ディスプレイの斜視図であり、その本体を構成している両方の部品から並置され且つ中間点から形成され且つ三角形状の組立部品を受け入れている縁を上方端縁から示している。
【図１０】図１０は、ディスプレイの上方部品を示しており、本体を構成している部品の一つが、弾性のバンドを受け入れて、この場合には三角形状の組立部品を固定し且つ引っ張るために上方及び下方のフック形状の溝を備えた並置された縁を示している。
【図１１】図１１は、ディスプレイの本体を構成している２つの部品を分解して示している斜視図であり、並置された縁のフック形状の溝を示しており、当該溝内に前記弾性のリング状のバンドが嵌合されて、三角形の組立部品を固定し且つ引っ張っている。側部には、ディスプレイを組立状態に保持する状態で、折り畳み可能な壁が開かれた状態の組立部品の拡大詳細図Ｃが示されている。
【図１２】図１２は、閉じられた状態のディスプレイを示している図である。組立部品の壁は、ディスプレイの本体を構成している両方の部品と共に伸長せしめられている。
【図１３】図１３は、図１２と同様の図であり、ディスプレイの本体を構成している両方の部品が、弾性のバンドの作用及び離隔された壁の折り目の作用によって、組立部品の折り畳み可能な壁が開くことによって離隔された状態に維持されている。下方には、拡大図Ｄが示されている。
【図１４】図１４は、既に組み立てられている状態のディスプレイを示している図である。
【図１５】図１５は、ディスプレイ本体を構成している２つの部品の斜視図であり、当該２つの部品の各々には、その並置された縁の１つから延びている単一の折り目が設けられている。これらの部品が組み立てられると、折り目の位置自体は、最終的に逆さにされた状態で対向した頂点にあり、このようにして別の種類の組立体が得られる。
【図１６】図１６は、ディスプレイの斜視図であり、その本体を構成している各々が対応する組立部品を受け入れる両方の部品から並置された縁の対を上方端縁から示している。
【図１７】図１７は、別個の壁によって提供されているピンセットの作用と結合された並置された縁の溝間で引っ張られた弾性のバンドの作用によって組立部品から折り畳み可能な開口を示している一連の斜視図であり、前記開口は、ディスプレイの本体を構成している両方の部品を自然に自動的に開かせるであろう。
【図１８】図１８は、別個の壁によって提供されているピンセットの作用と結合された並置された縁の溝間で引っ張られた弾性のバンドの作用によって組立部品から折り畳み可能な開口を示している一連の斜視図であり、前記開口は、ディスプレイの本体を構成している両方の部品を自然に自動的に開かせるであろう。
【図１９】図１９は、離隔された壁によって提供されているピンセットの作用と結合された並置された縁の溝間で引っ張られた弾性のバンドの作用によって組立部品から折り畳み可能な開口を示している一連の斜視図であり、前記開口は、ディスプレイの本体を構成している両方の部品を自然に自動的に開かせるであろう。
【図２０】図２０は、閉じられたディスプレイの図である。組立部品の壁は、ディスプレイの本体を構成している両方の部品と一緒に伸長せしめられている。
【図２１】図２１は、図２０と同様の図であるが、弾性のバンドの作用及びその離隔された壁のピンセットのような作用により組立部品の折り畳み可能な壁も開いているときに、ディスプレイの本体を構成している両方の部品が開いている。下方には拡大詳細図Ｅが示されている。
【図２２】図２２は既に組み立てられたディスプレイの図である。この図においては、切断及び折り目付けステップにおいてもたらされる折り目の形成による逆向きの縁を見ることができる。
【図１】
2010507817.tif 000003
【図２】
2010507817.tif 000004
【図３】
2010507817.tif 000005
【図４−５】
2010507817.tif 000006
【図６】
2010507817.tif 000007
【図７−８】
2010507817.tif 000008
【図９】
2010507817.tif 000009
【図１０】
2010507817.tif 000010
【図１１】
2010507817.tif 000011
【図１２】
2010507817.tif 000012
【図１３】
2010507817.tif 000013
【図１４】
2010507817.tif 000014
【図１５−１６】
2010507817.tif 000015
【図１７】
2010507817.tif 000016
【図１８】
2010507817.tif 000017
【図１９】
2010507817.tif 000018
【図２０】
2010507817.tif 000019
【図２１】
2010507817.tif 000020
【図２２】
2010507817.tif 000021
【国際調査報告】
2010507817.tif 000022
2010507817.tif 000023